(57)【特許請求の範囲】
【請求項１】
移送処理中に複数の入力ソースから合成サンプルを採取するためのシステムであって、
少なくとも第１および第２の供給原料入力ライン；
前記第１の供給原料入力ラインに設置された第１の流量センサおよび第２の供給原料入力ラインに設置された第２の流量センサ；
前記供給原料入力ラインからサンプルを抽出するための各前記供給原料入力ラインに対応するサンプル抽出アセンブリ；
各前記サンプル抽出アセンブリに対応する質量流量コントローラを有するサンプリング装置であって、各前記質量流量コントローラは、サンプル出力を有し、前記第１および第２の供給原料入力ラインのそれぞれにおける流量を表す信号を前記第１および第２の流量センサから受信するように構成され、各前記質量流量コントローラは、前記流量を表す信号の受信に応答してそれぞれのサンプル出力の流量を調整する質量流量コントローラである、ところの前記サンプリング装置；および
各前記質量流量コントローラの前記サンプル出力にそれぞれ接続された少なくとも第１および第２のサンプル出力ラインであって、各サンプル出力ラインは、前記質量流量コントローラの前記出力からのサンプルのサンプルアキュムレータへの導入のために、サンプルアキュムレータの入力に接続されている、ところの前記少なくとも第１および第２のサンプル出力ライン、
を有するシステム。
【請求項２】
前記サンプル抽出アセンブリは、前記サンプルアキュムレータへの入力の前にエネルギー含有量または組成の少なくともいずれか１つを分析するために抽出されたサンプルを直接サンプリングするための供給原料サンプル出力を含む請求項１に記載のシステム。
【請求項３】
前記少なくとも第１および第２の供給原料入力ラインの各々に対応するサンプル気化器およびサンプル調整器をさらに含む請求項１に記載のシステム。
【請求項４】
各前記サンプル気化器は、それぞれの前記サンプル抽出アセンブリの出力から受け取ったサンプルを受け取り気化させる請求項３に記載のシステム。
【請求項５】
各前記サンプル調整器は、それぞれの前記サンプル気化器の出力から受け取った気化サンプルを受け取り調整する請求項４に記載のシステム。
【請求項６】
前記サンプリング装置は、それぞれのサンプルとして、各前記サンプル調整器から調整されたサンプルを受け取る請求項５に記載のシステム。
【請求項７】
前記サンプルアキュムレータの出力は、合成サンプリングシステムに接続される請求項１に記載のシステム。
【請求項８】
前記サンプルアキュムレータの出力は、蓄積されたサンプルのエネルギー含有量または組成の少なくともいずれか１つの分析のための分析器に接続される請求項１に記載のシステム。
【請求項９】
各々が対応する供給原料入力ラインからサンプルを受け取るように構成された少なくとも２つの入力；
サンプルアキュムレータ；
各前記供給原料入力ラインに対応する質量流量コントローラであって、各前記質量流量コントローラは、サンプル出力を有し、各前記供給原料入力ライン上の流量センサから各入力における流量を表す信号を受信するように構成されており、各前記質量流量コントローラは、前記流量を表す信号の受信に応答して、それぞれのサンプル出力からそのそれぞれのサンプルの流量を調整する、ところの前記質量流量コントローラと、
各前記質量流量コントローラのサンプル出力にそれぞれ接続された第１および第２のサンプル出力ラインであって、各前記サンプル出力ラインは、前記質量流量コントローラの出力からのサンプルの前記サンプルアキュムレータへの導入のために、前記サンプルアキュムレータの入力に接続される、ところの前記少なくとも第１および第２のサンプル出力ラインと、
を有するサンプリング装置。
【請求項１０】
前記サンプリング装置は、それぞれの前記質量流量コントローラへの入力の前のエネルギー含有量または組成の少なくともいずれか１つの分析のために、受信サンプルを直接サンプリングするために、各前記入力に接続された分析装置を含む請求項９に記載のサンプリング装置。
【請求項１１】
前記サンプリング装置は、前記少なくとも第１および第２の入力ラインのそれぞれに対応するサンプル気化器およびサンプル調整器によって処理されたサンプルを受け取る請求項９に記載のサンプリング装置。
【請求項１２】
前記サンプルアキュムレータの出力が、合成ガスサンプリングシステムに接続される請求項９に記載のサンプリング装置。
【請求項１３】
前記サンプルアキュムレータの出力が、蓄積されたサンプルのエネルギー含有量または組成の少なくともいずれか１つの分析のための分析器に接続される請求項９に記載のサンプリング装置。
【請求項１４】
エネルギー含有量または組成の少なくともいずれか１つの分析における測定精度を向上させるために、複数のサンプル流体ソースから合成入力への流量を制御する方法であって、
前記複数のサンプル流体ソースの各々におけるサンプル流体の流量を決定し；
前記複数のサンプル流体ソースの各々からサンプルを抽出し；
抽出された前記サンプルの各々を、当該サンプル流体ソースの前記決定された流量に比例する調整された流量でサンプルアキュムレータに入力し；
前記サンプルアキュムレータ内に複数の流体サンプルを蓄積して合成サンプルを生成し；
前記合成サンプルのエネルギー含有量または組成の少なくともいずれか１つの分析のために、前記アキュムレータから選択された量の前記合成サンプルを出力する、方法。
【請求項１５】
前記エネルギー含有量または組成の少なくともいずれか１つの分析がガスクロマトグラフによって行われる請求項１４に記載の方法。
【請求項１６】
各前記抽出されたサンプルは、前記サンプルアキュムレータに通される前に、それぞれの気化器によって、当該サンプルが気化されるように処理される請求項１４に記載の方法。
【請求項１７】
各前記気化されたサンプルは、前記サンプルアキュムレータに通される前に、サンプル調整器によって、当該サンプルが調整されるように処理される請求項１６に記載の方法。
【請求項１８】
前記合成サンプルの選択された量を合成サンプリングシステムに出力することをさらに含む請求項１４に記載の方法。
【発明の詳細な説明】
【技術分野】
【０００１】
本出願は2017年9月29日に出願された米国特許出願第62/565,865号の優先権を主張し、
その全体が参照により本明細書に組み込まれる。
【０００２】
本発明は、それぞれの個別入力ソース間の流量差を考慮することによって、固定貯蔵タ
ンクまたはタンカーなどの1つまたは複数の受入容器への、および/または受入容器からの
、入力サンプル分析の精度を高めるためのシステムおよび方法に関する。
【背景技術】
【０００３】
天然ガスは他の形態の熱エネルギーと同様に、英国熱単位(BTU)で測定される。1BTUは
、大気圧で1ポンドの水の温度を華氏1度上昇させるのに必要な熱に等しい。LNGは、そのB
TU値に従って販売されるので、LNGがそれぞれのタンカーに積み込まれ、積み降ろされる
ときは、LNGの構成成分の分析と同様に、個別のLNG輸送のBTU値の正確な分析が極めて重
要である。例えば、特定の船舶の見込み価格を決定するために、LNGがトリニダードやト
バゴのような海外にいるタンカーに積み込まれるとき、供給者は、LNGが船舶の船体に積
み込まれるときのLNGのBTU値を計算する。このように、LNG船を運搬するタンカーのオペ
レータは積み込まれたLNGと積み降ろされたLNGの両方の正確なBTU測定に強く関心を持っ
ており、これは、輸送中に気化したLNGを燃焼させて船舶を走行させるため、輸送中に気
化したLNGのコストに責任があるためである。
【０００４】
現在、LNGタンカーに、例えば2つから4つの異なるパイプラインを使用して、複数の貯
蔵タンクまたは一連の鉄道タンク車から積み込みされる場合、移送/積み込みプロセス中
の個別の入力のそれぞれの流量の変動を考慮することにより、入力を統合して正確な合算
データを生成する装置または方法はない。この問題は、1つまたは複数のタンクおよび/ま
たは1つまたは複数の鉄道タンク車に積み込むために複数のパイプラインを使用する1つま
たは複数のタンカーおよび/または鉄道タンク車に関しても同様に当てはまる。
【０００５】
例えば、極低温LNGの場合は、貨物積載物は、しばしば、異なる貯蔵容器から同時に移
送される異なる組成または他の物理的特性を有する投入物から構成される。流量はそれぞ
れのソースからの入力の間で変化し得るため、各ソースからの供給量を推測または見積り
、得られた推定数を最終的な移動混合物のエネルギー含有量/組成分析の決定に適用する
ということを、根本的にオペレータに放棄させる。
【０００６】
米国特許第9,562,833号に記載されているように、多入力混合物の時間経過合成サンプ
リングが合成システムを介して処理されるとき、分析目的のための相対流量推定値の使用
は、信頼性がなく、不正確であり、不可能になる。
【発明の概要】
【０００７】
本発明は、それぞれのソースからの入力流量の変動を反映するエネルギー含有量/組成
分析のために、複数の入力ソースから得られた正確な合成サンプルを提供することができ
る単一の分析システムを提供する解決策を想定する。本発明は独立型ユニットとして、ま
たは既存のシステム(例えば、Mustang(登録商標)Composite Sampling System(MCSS(商標)
)、ISO 8943の要件に準拠し、一定の間隔で、または流量に比例して、少ないサンプルを
採取することによって代表的なサンプルを蓄積することができる、液化天然ガスのための
断続的な無水サンプリングシステム)の付属物として利用され得る。このようなシステム
は、米国ウェスト・ヴァージニア州のレーヴンズウッド（Ravenswood）のムスタング・サ
ンプリング・エルエルシー（Mustang Sampling, LLC）から入手可能であり、米国特許第9
,562,833号に記載された合成サンプリングシステムの一実施形態であり、その全体が参照
により本明細書に組み込まれる。
【０００８】
本発明のシステムおよび方法は、さもなければ個別のサンプル採取ソースのそれぞれに
必要とされる装置要件に集約される。
【０００９】
本明細書に記載される本発明は、複数の個別の入力ソースから合成サンプルを提供する
能力を有するシステムによる合成サンプリングを企図し、天然ガスのエネルギー含有量/
組成分析のための混合入力のそれぞれの流量を考慮する。
【００１０】
LNGシステムに関して、複数ソースサンプリングシステムは、複数のソース、例えば、2
つ以上のソースから、分析のための正確なサンプルを提供し、これらのソースは後に合成
される。したがって、LNGの構成成分だけでなく、様々な入力ソースからタンカーに積み
込まれた、または様々な入力ソースからタンクまたは鉄道タンク車に積み込まれたLNGのB
TU値を正確に決定することができる。
【００１１】
このシステムは、特定のソース(例えば、パイプライン)について確立された流量に対応
するように設定された質量流量計によって監視され制御される各個別ソースからの入力に
基づいている。例として、第1のタンク車の取り込みパイプラインが60%の流量を有し、第
2のタンク車の取り込みパイプラインがタンカーに入るサンプルの総流量に対して40%の流
量を有する場合、それぞれの質量流量コントローラを通るそれぞれの総体積流量は、それ
ぞれのソースの比例する本来の流量に対応する共通の蒸気サンプルアキュムレータにスル
ープットをそれぞれ提供するように調整される。このシステムはまた、1つ以上の個別の
ソースが停止され流れが無い場合であっても、少なくとも１つのアクティブなソースから
サンプルを抽出し分析することを可能にする。
【００１２】
要するに、本発明は、分析の前に。サンプルプローブまたはサンプル調整システムから
であり得る個別のソースからの気化ガスサンプルが、計算された比率でアキュムレータチ
ャンバに投入されることを意図する。この比率は、個別のソース間のそれぞれの流量比を
反映する。説明の目的のために、以下の説明は2ソースストリームの実施形態を説明する
が、本発明の思想はそのように限定されず、任意の数のソースを含むことができる。2ソ
ース入力では、アキュムレーターへの気化ガスの流れは、入力流量に比例する成分サンプ
ルを生成するために、それぞれのソースに対して1つずつの２つの質量流量コントローラ
によって制御される。質量流量コントローラを出る各気化ガス流は、アキュムレータの内
部に突出するアキュムレータ衝突管/混合棒を介して混合アキュムレータに導入される。
その結果、アキュムレータからの出力は入力ガスの混合物であり、移送対象物に含まれる
最終混合物と同一であり、したがって、最終的な合成移送物としての分析に適している。
システムが追加の入力ソース、例えば5つまたは6つを含む場合、各追加の入力は、1つま
たは複数の質量流量コントローラに対応付けられる。
【００１３】
このシステムは、特別なサンプリング位置およびその関連装置を追加することなく、流
量比の相違に関係なく、比例流量を測定することができ、複数の流れの有効な(流量加重)
組成またはエネルギー値を決定することができる装置を含む。これは、露点ドロップアウ
トの問題を回避しながら、LNGをブレンドする能力を提供する。
【００１４】
本発明の目的は、複数の入力流路および/または出力流路からのLNG流の組成分析など、
従来技術の従来の構造に関連する前述の問題を克服することである。
【００１５】
したがって、本発明の目的は、タンク、タンカー、はしけ、トラック、または鉄道タン
ク車のような、船舶に積み込まれる、またはそこから積み降ろされる複数のソースからの
製品の組成を、便利かつより正確に測定するためのシステム、装置、および方法を提供す
ることである。
【００１６】
本発明のさらなる目的は、流速に基づくパーセンテージ組成が各経路について決定され
得るように、生成物の複数の入力流路および/または出力流路に関する改良された比例組
成分析を提供することである。
【００１７】
本発明のさらに別の目的は、積み込まれたLNGおよび降ろされたLNGの両方について、組
成および/またはBTU値のより正確な計算を提供し、それによってLNGの販売取引の強化を
可能にすることである。
【００１８】
本発明の目的は、移送処理中に複数の入力ソースから合成ガスサンプルを採取するため
のシステムによって満たされ、該システムは、少なくとも第1および第2の供給原料入力ラ
インと、該供給原料入力ラインからサンプルを抽出するための各入力ラインに対応するサ
ンプル抽出アセンブリと、各サンプル抽出アセンブリに対応する質量流量コントローラを
有するサンプリングデバイスとを備え、各質量流量コントローラは、サンプル出力を有し
、該第1および第2の供給原料入力ラインの各々から流量を表す信号を受信するように構成
され、各質量流量コントローラは、前記流量を表す信号の受信に応答して、そのそれぞれ
のサンプル出力からのそのそれぞれのサンプルの流量を調整し、少なくとも第1および第2
のサンプル出力ラインは、各質量流量コントローラのサンプル出力にそれぞれ接続され、
各サンプル出力ラインは、質量流量コントローラの出力からのサンプルをサンプルアキュ
ムレータへ導入するために、サンプルアキュムレータの入力に接続される。
【００１９】
本発明のさらなる目的は、それぞれが対応する供給原料入力ラインからサンプルを受け
取るように構成された少なくとも2つの入力と、サンプルアキュムレータと、各供給原料
入力ラインに対する質量流量コントローラとを備え、各質量流量コントローラはサンプル
出力を有し、各入力において流量を表す信号を受け取るように構成され、各質量流量コン
トローラは、前記流量を表す信号の受け取りに応答して、そのそれぞれのサンプル出力か
らそのそれぞれのサンプルの流量を調整するサンプリングデバイスと、各質量流量コント
ローラのサンプル出力にそれぞれ接続された少なくとも第1および第2のサンプル出力ライ
ンとを備え、各サンプル出力ラインは質量流量コントローラの出力をサンプルアキュムレ
ータに導入するためにサンプルアキュムレータの入力に接続される、サンプリングデバイ
スによって満たされる。
【００２０】
本発明のさらなる目的は、エネルギー含有量/組成分析における測定精度を高めるため
に、複数のサンプル流体ソースから組み合わされた入力への流量を考慮する方法であって
、複数のサンプル流体ソースの各々におけるサンプル流体の流量を決定するステップと、
複数のサンプル流体ソースの各々からサンプルを抽出するステップと、抽出された各サン
プルを、そのサンプル流体ソースの決定された流量に対応する調整された流量で共通のサ
ンプルアキュムレータに入力するステップと、複数の流体サンプルをアキュムレータに蓄
積して合成サンプル（統合サンプル）を生成するステップと、合成サンプルのエネルギー
含有量/組成分析のためにアキュムレータから前記合成サンプルの選択された量を出力す
るステップとを含む方法によって達成される。
【図面の簡単な説明】
【００２１】
【図１】図１は、本発明に係るシステムを示すブロック図である。
【図２】図２は、２入力システム（バイナリシステム）に関する複数ソース流量加重合成サンプルシステムの実施形態の概略図である。
【図３】図３は、本発明の一実施形態による機器キャビネットの概略図である。
【発明を実施するための形態】
【００２２】
本明細書で使用される「実質的に」、「相対的に」、「一般的に」、「約」、および「
およそ」は、そのように修飾された特性からの許容可能な変動を示すことを意図する相対
的な修飾語句である。それらは、それらが修飾する絶対値または特性に限定されることを
意図するものではなく、むしろ、そのような物理的または機能的特性に接近または近似す
る範囲を含むことを意図する。
【００２３】
詳細な説明において、「一実施形態」、「実施形態」、または「実施形態内」の言及は
、言及されている特徴が本発明の少なくとも一実施形態に含まれることを意味する。さら
に、「一実施形態」、「実施形態」、または「実施形態内」への個別の言及は、必ずしも
同じ実施形態を言及するわけではないが、そのように述べられていない限り、また当業者
に容易に明らかになることを除いて、そのような実施形態は相互に排他的ではない。した
がって、本発明は、本明細書で説明される実施形態の任意の様々な組み合わせおよび/ま
たは統合を含むことができる。
【００２４】
本明細書で使用される用語は、特定の実施形態を説明するためだけのものであり、本発
明を限定することを意図するものではない。本明細書で使用されるように、単数形、「a
」、「an」および「the」は文脈が明確に示唆しない限り、複数形も含めることを意図し
ている。さらに、本明細書で使用される場合、根本用語「含む」および/または「有する
」は、記載された特徴、整数、ステップ、操作、要素、および/または構成要素の存在を
特定するが、少なくとも1つの他の特徴、整数、ステップ、操作、要素、構成要素、およ
び/またはそれらのグループの存在または追加を排除するものではない。
【００２５】
本明細書で使用されるように、用語「有する」、「有している」、「含む」、「含んで
いる」、「備える」、「備えている」、またはそれらの任意の他の変形は、非排他的な包
含を含むことを意図していることが理解されるのであろう。例えば、特徴のリストを含む
プロセス、方法、物品、または装置は、必ずしもそれらの特徴のみに限定されず、明示的
にリストされていないプロセス、方法、物品、または装置に固有の他の特徴を含むことが
できる。
【００２６】
本明細書で使用されるように、値の範囲への任意の言及は、反対のことが明示的に述べ
られない限り、前記範囲の終点を含むその範囲内のあらゆる値を包含することが意図され
ることも理解されるのであろう。
【００２７】
図１は、LNGのようなガスをタンク4及び鉄道タンク車2からタンカー14に移送するため
のシステム100を示すブロック図である。しかしながら、本明細書の説明はこのような例
に限定されず、LNGは、2つのタンクから第3のタンクへというように、様々なソース間で
移送することができる。最初に、タンク4および鉄道タンク車2の両方からのLNGは、それ
ぞれのガス流/ライン3でタンカー14に向かって移送される。LNGがそれぞれのライン/スト
リーム3上でタンカー14に向かって移動するとき、それぞれのストリーム/ライン3内のLNG
の流量は、センサ9によって測定され、記録される。LNGのサンプルは、好ましくは米国ウ
ェスト・ヴァージニア州のレーヴンズウッド（Ravenswood）のムスタング・サンプリング
・エルエルシー（Mustang Sampling, LLC）から入手可能なCertiprobe(登録商標)などのA
SME B31.3-214の要件に準拠する、対応する抽出プローブ7を介して抽出される。一例で
は、各センサ9は、LNGが入力流/ライン3から抽出される位置で流量が測定されるように、
それぞれの抽出プローブ7に組み込むことができる。各抽出プローブ7から抽出されたLNG
は、次いで、例えば、米国特許第8,056,399号に記載されているタイプの気化器6に送られ
る。次いで、気化された抽出LNGサンプルは、単一又は重複多経路サンプル調整システム8
により、ジュール−トムソン冷却等からの炭化水素液体凝縮を防止するために条件付けさ
れ、調節される。これらの目的に一致し、本発明と共に使用することができる抽出された
調整済みサンプルを得るための例示的なシステムは、米国ウェスト・ヴァージニア州のレ
ーヴンズウッド（Ravenswood）のムスタング・サンプリング・エルエルシー（Mustang Sa
mpling, LLC）から入手可能な、ムスタングインテリジェント気化器サンプリングシステ
ム（Mustang Intelligent Vaporizer Sampling System）、および/または、米国特許第9,
057,668号に示され記載されたタイプのシステムであり、その全体が参照により本明細書
に組み込まれる。ソース、例えばタンク4および鉄道タンク車2からのLNGサンプルが気化
器6によって蒸気に変換され、下流のサ
ンプル調整器8を通過すると、調整されたサンプル流は、多ソース流量加重サンプルシス
テム200に導入され、蓄積され、均質化される。図示されていないが、一例では、システ
ム100は、システム100の全ての流れ/ライン3を処理するために各流れ/ライン3から入力を
受け取る1つの気化器6及びサンプル調整システム8のみを、サンプル調整システム8からシ
ステム200にサンプル流れを出力することができる位置に、含むことができる。
【００２８】
図２は、本発明のバイナリシステムの実施形態に係るサンプルシステム200の一例を概
略的に示す。2つの(例えば、1つ以上のタンカートラック、鉄道車両、および貯蔵タンク
からなる群からの)並列入力ソースの場合に使用するように適合された図示されたサンプ
ルシステム200は、入力ストリーム/ライン3の数に対応する多数の入口ライン202を想定し
ている。したがって、各入力入口ライン202は、サンプル調整器8のそれぞれの出力に対応
する。したがって、図示のように、各サンプル入口202の流れは、対応するMFCによって制
御される。MFC206は、複数の入力、複数のMFC206、および複数のそれぞれの出力を有する
MFCユニット全体の一部とすることもできるし、分離した構成とすることもできる。図示
のバイナリシステムの場合、2つのMFC206は、アレン・ブラッドリー850シリーズ（Allen 
Bradley 850 series）のプログラマブル論理コントローラ(PLC)または同等のデジタル・
コントローラと電子信号通信する回路を有する。図示の例では、MFC206が従来の質量流量
コントローラの形態である。本明細書で使用されるように、MFCは、容積、比率、差動、
タービン、ロータ、超音波、および/またはコリオリであろうとなかろうと、任意の従来
の流量制御手段を含むことが意図される。
【００２９】
PLC自体は分散制御システム(DCS)または適切な同等の通信制御システムと遠隔信号通信
し、それによって制御することができる。DCSは適切な流量センサ9の読み取り値を処理す
ることによって、それぞれの転送ストリーム/ライン3の流量を監視し、MODBUS遠隔端末ユ
ニット(RTU)などの従来の通信プロトコルによって、それぞれのMFC206の流量設定パーセ
ンテージ(%)をPLCに送信する。これは、センサ9によって測定された各それぞれの移送ラ
イン3の流量のパーセンテージ(%)を表し、パーセンテージの合計が100%となる合成された
サンプルへの寄与割合である。次いで、PLCは、DCSから受信されたデータに基づいて、そ
れぞれの転送ラインごとのパーセンテージ(%)フローを識別する1つまたは複数の信号を各
MFC206に送信する。各MFC206は1つ以上の信号を受信し、各ライン3からの各MFC206の蒸気
出力が対応するライン3の検出された流量に対応するように、それぞれのライン3の流量を
適宜調整する。一例では、各MFC206が電磁弁を使用することによって、それぞれのライン
3の流量を制御することができる。
【００３０】
それぞれのMFC206の各々からの出力は、次に、それぞれの出力ライン204を介して、米
国特許第8,056,399号に記載され開示されたタイプのものとすることができる衝突管/棒を
有する混合アキュムレータ208に伝達される。この混合されたサンプルは、船舶(すなわち
、タンカー14)または大型静的貯蔵施設であってもよい受入容器への、2つの移送ソース(
すなわち、タンク4および鉄道タンク車2)から受け取った入力の組み合わせを表す。混合
アキュミュレータ208からの混合サンプル・アウトプットは、米国特許8,056,399に記載さ
れているガス・クロマトグラフのようなエネルギー含有量/組成分析のための分析計/ガス
・クロマトグラフ13のような選択された対象に、または、前述したようなムスタング・コ
ンポジット・サンプリング・システムに、または、上述した米国特許9,562,833に記載の
グラブシリンダアレイ12に向けることができる。
【００３１】
図2に示すように、サンプルシステム200は、気化したサンプルをそれぞれのMFC206に入
力する前に、エネルギー含有量/組成についてサンプル蒸気を直接サンプリングするため
に、各入力入口ライン202から入力蒸気サンプルを受け取るためのガスクロマトグラフ13
への入力をさらに含む。これにより、サンプルシステム200は、MFC206による流量制御の
前に組成データを生成することができ、それにより、サンプルシステム200は、サンプル
システム200の試験および較正のための試験データを生成することができる。さらに、ガ
スクロマトグラフ13への入口からの各入力ラインは、流れを個々に分析することが望まれ
る場合に1つのラインを分流するようにPLCによって制御される1つ以上の逆止弁を含むこ
とができる。
【００３２】
図3は、本発明の一実施形態による、サンプルシステム200を収容するための機器キャビ
ネット300の概略図である。図3は、図2に示されるサンプルシステム200の囲いを示すので
、同様の名称が繰り返される。機器キャビネット300は、2つのMFC206、混合アキュムレー
タ208、各MFC206の出力に対応する流量計306、ガスクロマトグラフ13、水分または過剰な
液体を除去するためのドレン305、呼吸器を内部に有するハウジング302を含むエンクロー
ジャを均等化して爆発を防止するための通気孔307、合成サンプルの温度調節を維持する
ためのヒータ308、およびヒータ308と連動して動作するサーモスタット310を含む。図3は
、2つの質量流量コントローラ206のみを示すが、本発明はこの説明に限定されず、機器キ
ャビネット300は追加の入力ラインを処理するための追加のMFC206を収容することができ
、または複数の入力および出力を有する1つのMFCを使用して、複数のラインの流量を制御
することができることを理解されたい。混合アキュムレータ208からの混合サンプル出力
は、第1の出力314を介してMustang(登録商標)合成サンプリングシステムに、および/また
は第2の出力316を介してグラブシリンダアレイに出力することができる。
【００３３】
図3はまた、サンプルシステム200への入力電力を収容するための第1の筐体311と、PLC
およびDCS処理回路を収容するための第2の筐体312とを示す。あるいは、DCSは、遠隔に配
置され、PLCと直接または無線通信することができる。第1のエンクロージャ311は、実際
の流量計パーセンテージ流量のフィールド検証のための視覚的インジケータを提供するこ
とができる。それに加えて、またはその代わりに、実際の流量計パーセンテージ流量情報
は遠隔通知および検証のために、PLCを介してDCSに送信することができる。機器キャビネ
ット300は、さらに、複数の圧力調整器318および320を含む。圧力レギュレータ318は、入
力入口ライン202上に受け入れられた入力蒸気サンプルに対して内部的に適切な圧力を維
持する。言い換えれば、圧力調整器318は、各MFC206の流量設定パーセンテージに基づい
て、個々のライン上の適切な圧力を確保する。圧力レギュレータ320は、混合アキュムレ
ータ208からの混合サンプル出力のための適切な圧力を維持する限り、前方または後方圧
力レギュレータであってもよい。
【００３４】
図3は、サンプルシステム200のハウジングの一例を示す。しかしながら、本発明は、そ
のような組成物に限定されず、追加の実施形態が企図される。したがって、本発明は、本
明細書に開示される特定の実施形態に限定されず、本発明の多くの修正形態および他の実
施形態が本発明の範囲内に含まれることが意図されることが理解される。さらに、本明細
書では特定の用語が使用されているが、それらは一般的かつ説明的な意味でのみ使用され
ており、本発明の説明を限定する目的では使用されていない。
【００３５】
さらに、本発明の図示されたバイナリ実施形態が前述の明細書に記載されてきたが、前
述の説明および関連する図面に提示された教示の恩恵を受けて、本発明が関係する多くの
修正および実施形態が思い浮かぶことが当業者によって理解される。例えば、4つ、5つ、
6つ、またはそれ以上の入力を有し、それぞれが比例加重（比例重み付け）を受けるシス
テムは、本発明の範囲内に入る。また、低温であるLNGに関して主に開示されているが、
本発明は非低温流体の組み合わせの分析に適用可能である。したがって、本発明は、本明
細書に開示される特定の実施形態に限定されず、本発明の多くの修正形態および他の実施
形態が本発明の範囲内に含まれることが意図されることが理解される。さらに、本明細書
では特定の用語が使用されているが、それらは一般的かつ説明的な意味でのみ使用されて
おり、本発明の説明を限定する目的では使用されていない。
【図１】
0006831039.tif 000002
【図２】
0006831039.tif 000003
【図３】
0006831039.tif 000004